(57)【要約】【課題】非常時において、直流負荷及び交流負荷のいずれにも電力供給が可能な給電システムを提供する。【解決手段】制御部３０は、非常時に、ＡＣ切替器３４の負荷側端子３４Ｃと非常時端子３４Ｂとを導通させると共に、ＤＣ切替器４６の負荷端子４６Ｃと非常時端子４６Ｂとを導通させる。かかる導通により、直流電源２８の電力を、昇圧ＤＣ／ＡＣインバータを介して交流負荷が接続されるコンセント４２に供給すると共に、直流負荷であるＬＥＤ照明５０Ａ及び２４時間換気設備５０Ｂに供給することができる。【選択図】図１
2016086559.tif 000002
【特許請求の範囲】
【請求項１】
直流の電力を出力する直流電源と、
入力端が前記直流電源の出力端に接続され、前記直流電源が出力した直流を交流に変換するインバータと、
商用電力を供給する分電盤が接続された分電盤側端子、前記インバータの出力端が接続されたインバータ側端子及び交流負荷が接続された交流負荷側端子を含み、前記分電盤側端子と前記交流負荷側端子との導通、及び前記インバータ側端子と前記交流負荷側端子との導通のいずれかに切り替え可能な交流切替手段と、
入力端が前記交流切替手段の交流負荷側端子に接続され、前記分電盤から供給された交流を直流に変換するコンバータと、
前記直流電源の出力端が接続された直流電源側端子、前記コンバータの出力端が接続されたコンバータ側端子及び直流負荷が接続された直流負荷側端子を含み、前記直流電源側端子と前記直流負荷側端子との導通、及び前記コンバータ側端子と前記直流負荷側端子との導通のいずれかに切り替え可能な直流切替手段と、
非常時に、前記交流切替手段の前記インバータ側端子と前記交流負荷側端子とを導通させると共に、前記直流切替手段の前記コンバータ側端子と前記直流負荷側端子とを導通させる制御手段と、
を備えた給電システム。
【請求項２】
前記商用電力の通電状態を示す物理量を検知する通電検知手段を備え、
前記制御手段は、前記通電検知手段が検知した前記商用電力の通電状態を示す物理量が所定の閾値を下回った場合に非常時と判定する請求項１に記載の給電システム。
【請求項３】
前記直流電源は、各々交流を出力する複数の電源と、該電源が出力した交流を直流に変換する電源コンバータと、を含む請求項１又は２に記載の給電システム。
【請求項４】
前記直流電源は複数の電源を含み、該複数の電源のうちいくつかは同一の電圧の直流を出力し、他の電源は、交流を出力する電源と、該電源が出力した交流を前記複数の電源のいくつかが出力する直流と同一の電圧の直流に変換する電源コンバータとで構成された請求項１又は２に記載の給電システム。
【請求項５】
前記分電盤は、第１の電圧の交流を出力する第１の電圧端子及び第２の電圧の交流を出力する第２の電圧端子を各々有し、
前記インバータは、前記直流電源が出力した直流を第１の電圧の交流に変換する第１の電圧インバータ及び前記直流電源が出力した直流を第２の電圧交流に変換する第２の電圧インバータを含み、
前記交流切替手段は、前記分電盤の第１の電圧端子が接続された第１の電圧分電盤側端子、前記第１の電圧インバータの出力端が接続された第１の電圧インバータ側端子及び第１の電圧交流負荷が接続された第１の電圧交流負荷側端子を含み、前記第１の電圧分電盤側端子と前記第１の電圧交流負荷側端子との導通、及び前記第１の電圧インバータ側端子と前記第１の電圧交流負荷側端子との導通のいずれかに切り替え可能な第１の電圧交流切替手段並びに前記分電盤の第２の電圧端子が接続された第２の電圧分電盤側端子、前記第２の電圧インバータの出力端が接続された第２の電圧インバータ側端子及び第２の電圧交流負荷が接続された第２の電圧交流負荷側端子を含み、前記第２の電圧分電盤側端子と前記第２の電圧交流負荷側端子との導通、及び前記第２の電圧インバータ側端子と前記第２の電圧交流負荷側端子との導通のいずれかに切り替え可能な第２の電圧交流切替手段を含み、
前記コンバータの入力端が前記第１の電圧交流切替手段の第１の電圧交流負荷側端子に接続され、
前記制御手段は、非常時に、前記第１の電圧交流切替手段の前記第１の電圧インバータ側端子と前記第１の電圧交流負荷側端子とを導通させると共に、前記第２の電圧交流切替手段の前記第２の電圧インバータ側端子と前記第２の電圧交流負荷側端子とを導通させる請求項１〜４のいずれか１項に記載の給電システム。
【発明の詳細な説明】
【技術分野】
【０００１】
本発明は、建物に電力を供給するための給電システムに関する。
【背景技術】
【０００２】
燃料電池、蓄電池等を非常時の電源として備えた場合、これらの電源は直流の電力を出力するので、インバータ等の変換手段により、１００Ｖ又は２００Ｖの交流（以下、「ＡＣ１００Ｖ」「ＡＣ２００Ｖ」と略記）に変換して、宅内のコンセントに供給することが必要になる。しかしながら、昨今は、例えば、パソコン、オーディオ機器、ＬＥＤ照明等、コンセントからＡＣ１００Ｖの電力が供給されるものの、コンバータで直流１２Ｖに変換して内部の回路で消費する機器（以下、「直流負荷」と称する）が少なくない。
【０００３】
燃料電池等の直流電源の電力をインバータ等で交流に変換し、さらにコンバータで直流に変換する場合、２度にわたる変換による電力ロスが無視できなくなる。そこで、特許文献１には、直流電源と直流負荷とをインバータ又はコンバータを介さずに接続して、直流電源の電力を直流負荷に直接供給する直流配電システムが開示されている。
【先行技術文献】
【特許文献】
【０００４】
【特許文献１】特開２００３−２０４６８２号公報
【発明の概要】
【発明が解決しようとする課題】
【０００５】
しかしながら、特許文献１に記載の直流配電システムは、停電等の非常時には直流電源の電力を直流負荷専用のコンセントと最重要機器用のコンセントにのみ供給する。その結果、ＡＣ１００Ｖ等で動作する一般の交流負荷用のコンセントに電力を供給できないという問題点があった。
【０００６】
本発明は、上記事実を考慮して成されたもので、非常時において、直流負荷及び交流負荷のいずれにも電力供給が可能な給電システムを提供することを目的とする。
【課題を解決するための手段】
【０００７】
上記課題を解決するための請求項１の発明は、直流の電力を出力する直流電源と、入力端が前記直流電源の出力端に接続され、前記直流電源が出力した直流を交流に変換するインバータと、商用電力を供給する分電盤が接続された分電盤側端子、前記インバータの出力端が接続されたインバータ側端子及び交流負荷が接続された交流負荷側端子を含み、前記分電盤側端子と前記交流負荷側端子との導通、及び前記インバータ側端子と前記交流負荷側端子との導通のいずれかに切り替え可能な交流切替手段と、入力端が前記交流切替手段の交流負荷側端子に接続され、前記分電盤から供給された交流を直流に変換するコンバータと、前記直流電源の出力端が接続された直流電源側端子、前記コンバータの出力端が接続されたコンバータ側端子及び直流負荷が接続された直流負荷側端子を含み、前記直流電源側端子と前記直流負荷側端子との導通、及び前記コンバータ側端子と前記直流負荷側端子との導通のいずれかに切り替え可能な直流切替手段と、非常時に、前記交流切替手段の前記インバータ側端子と前記交流負荷側端子とを導通させると共に、前記直流切替手段の前記コンバータ側端子と前記直流負荷側端子とを導通させる制御手段と、を備えている。
【０００８】
請求項１に記載の発明によれば、停電等の非常時には、交流切替手段及び直流切替手段を制御して、交流負荷には直流電源の直流を交流に変換した電力を、直流負荷には直流電源の直流を各々供給することができる。
【０００９】
請求項２の発明は、請求項１に記載の発明において、前記商用電力の通電状態を示す物理量を検知する通電検知手段を備え、前記制御手段は、前記通電検知手段が検知した前記商用電力の通電状態を示す物理量が所定の閾値を下回った場合に非常時と判定する。
【００１０】
請求項２に記載の発明によれば、商用電力の通電状態から停電等の非常時を判定できる。
【００１１】
請求項３の発明は、請求項１又は２に記載の発明において、前前記直流電源は、各々交流を出力する複数の電源と、該電源が出力した交流を直流に変換する電源コンバータと、を含んでいる。
【００１２】
請求項３に記載の発明によれば、複数の交流電源を束ね、１つの直流電源として活用できる。
【００１３】
請求項４の発明は、請求項１又は２に記載の発明において、前記直流電源は複数の電源を含み、該複数の電源のうちいくつかは同一の電圧の直流を出力し、他の電源は、交流を出力する電源と、該電源が出力した交流を前記複数の電源のいくつかが出力する直流と同一の電圧の直流に変換する電源コンバータとで構成されている。
【００１４】
請求項４に記載の発明によれば、電力の需要に応じて、直流電源として使用可能なＥＶ（Electric Vehicle）等の車両を電源として複数の電源に追加することができる。また、ＥＶ等を含む複数の電源の各々は、同一電圧の直流を出力するので、交流電源の場合のように、周波数及び位相の同期を要しない。また、追加した電源が交流を出力するものであっても、電源コンバータで変換して同一電圧の直流を出力するものとすれば、同様に周波数及び位相の同期を要しない。
【００１５】
請求項５の発明は、請求項１〜４のいずれか１項に記載の発明において、前記分電盤は、第１の電圧の交流を出力する第１の電圧端子及び第２の電圧の交流を出力する第２の電圧端子を各々有し、前記インバータは、前記直流電源が出力した直流を第１の電圧の交流に変換する第１の電圧インバータ及び前記直流電源が出力した直流を第２の電圧交流に変換する第２の電圧インバータを含み、前記交流切替手段は、前記分電盤の第１の電圧端子が接続された第１の電圧分電盤側端子、前記第１の電圧インバータの出力端が接続された第１の電圧インバータ側端子及び第１の電圧交流負荷が接続された第１の電圧交流負荷側端子を含み、前記第１の電圧分電盤側端子と前記第１の電圧交流負荷側端子との導通、及び前記第１の電圧インバータ側端子と前記第１の電圧交流負荷側端子との導通のいずれかに切り替え可能な第１の電圧交流切替手段並びに前記分電盤の第２の電圧端子が接続された第２の電圧分電盤側端子、前記第２の電圧インバータの出力端が接続された第２の電圧インバータ側端子及び第２の電圧交流負荷が接続された第２の電圧交流負荷側端子を含み、前記第２の電圧分電盤側端子と前記第２の電圧交流負荷側端子との導通、及び前記第２の電圧インバータ側端子と前記第２の電圧交流負荷側端子との導通のいずれかに切り替え可能な第２の電圧交流切替手段を含み、前記コンバータの入力端が前記第１の電圧交流切替手段の第１の電圧交流負荷側端子に接続され、前記制御手段は、非常時に、前記第１の電圧交流切替手段の前記第１の電圧インバータ側端子と前記第１の電圧交流負荷側端子とを導通させると共に、前記第２の電圧交流切替手段の前記第２の電圧インバータ側端子と前記第２の電圧交流負荷側端子とを導通させる。
【００１６】
請求項５に記載の発明によれば、停電等の非常時には、第１の電圧交流負荷及び第２の電圧交流負荷には直流電源の直流を交流に変換した電力を、直流負荷には直流電源の直流を各々供給することができる。
【発明の効果】
【００１７】
以上説明したように、請求項１に記載の発明は、交流切替手段及び直流切替手段を制御することにより、非常時において、直流負荷及び交流負荷のいずれにも電力供給が可能となる。
【００１８】
請求項２に記載の発明によれば、商用電力の通電状態に基づいて、電源の切り替えが必要な非常時か否かを判定して、交流切替手段及び直流切替手段を制御することにより、非常時において、直流負荷及び交流負荷のいずれにも電力供給が可能となる。
【００１９】
請求項３に記載の発明によれば、複数の電源を束ねて１つの直流電源とすることにより、非常時において、直流負荷及び交流負荷のいずれにも電力供給が可能な電力量を確保できる。
【００２０】
請求項４に記載の発明によれば、同一電圧の直流を出力する電源を複数備えている。これらの電源は周波数及び位相の同期を要せずに容易に束ねることができるので、非常時において、直流負荷及び交流負荷のいずれにも電力供給が可能な電力量を確保できる。
【００２１】
請求項５に記載の発明によれば、非常時において、第１の電圧交流切替手段、第２の電圧交流切替手段及び直流切替手段を制御することにより、非常時において、第１の電圧交流負荷、第２の電圧交流負荷及び直流負荷のいずれにも電力供給が可能となる。
【図面の簡単な説明】
【００２２】
【図１】本発明の実施の形態に係る給電システムの一例を示す概略図である。
【図２】本発明の実施の形態に係る給電システムにおける制御部の概略構成を示すブロック図である。
【図３】本発明の実施の形態に係る給電システムの処理の一例を示したフローチャートである。
【図４】本発明の実施の形態に係る給電システムの一例を示す概略図である。
【発明を実施するための形態】
【００２３】
［第１の実施の形態］
以下、図面を参照して本発明の第１の実施の形態の一例を詳細に説明する。図１は、本実施の形態に係る給電システム１０の一例を示す概略図である。図１に示したように、本実施の形態に係る給電システム１０は、分電盤３２を介して供給される商用電力（ＡＣ１００Ｖ）と、直流電源２８の直流を５０Ｈｚ等の商用電力と同じ周波数のＡＣ１００Ｖに変換する昇圧ＤＣ／ＡＣインバータ４０から供給される電力とを切り替えるＡＣ切替器３４を含む。ＡＣ切替器３４を介して供給された電力は、コンセント４２から冷蔵庫、テレビ等の交流負荷に供給される。又は、絶縁型ＡＣ／ＤＣコンバータ４４を介して例えば直流１２Ｖ（以下、「ＤＣ１２Ｖ」と称する）に変換され、ＤＣ切替器４６及びヒューズ４８Ａ，４８Ｂを介して、直流負荷であるＬＥＤ照明５０Ａ及び２４時間換気設備５０Ｂへ各々供給される。
【００２４】
ＡＣ切替器３４及びＤＣ切替器４６は、制御部３０によって制御される。制御部３０は、商用電力が使用可能な通常時には、ＡＣ切替器３４の負荷側端子３４Ｃと通常時端子３４Ａとを導通させて商用電力をコンセント４２等に供給する。また、制御部３０は、停電等により商用電力が使用できない非常時には、ＡＣ切替器３４の負荷側端子３４Ｃと非常時端子３４Ｂとを導通させて昇圧ＤＣ/ＡＣインバータ４０によってＡＣ１００Ｖに変換された直流電源２８の電力をコンセント４２等に供給する。
【００２５】
通常時又は非常時か否かは、制御部３０が商用電力の通電状態を示す物理量をモニターすることによって判定される。通電状態を示す物理量は、電圧、電流又は電力量である。
【００２６】
例えば、電圧計をＡＣ切替器３４の通常時端子３４Ａに設けたのであれば、通常時端子３４Ａの電圧が所定の値、例えば、９０Ｖを下回った場合には、停電等の非常時と判定して、直流電源２８の電力をコンセント４２等に供給する。
【００２７】
または、通常時端子３４Ａ近くの配線に電流によって配線に発生する磁界を検知するセンサを設け、当該センサが検知した磁界に基づいて通常時端子３４Ａ近くの配線を流れる電流又は電力量を算出し、算出された電流又は電力量が所定の値を下回った場合に非常時と判定してもよい。
【００２８】
制御部３０は、通常時にはＤＣ切替器４６の負荷側端子４６Ｃと通常時端子４６Ａとを導通させ、絶縁型ＡＣ／ＤＣコンバータ４４でＤＣ１２Ｖに変換した商用電力を直流負荷の各々に供給する。また、制御部３０は、非常時にはＤＣ切替器４６の負荷側端子４６Ｃと非常時端子４６Ｂとを導通させて直流電源２８の電力を直流負荷の各々に供給する。
【００２９】
本実施の形態で用いられる絶縁型ＡＣ／ＤＣコンバータは、例えば、ＡＣ１００ＶをＤＣ１２Ｖ等に変換可能で、入力端子及び出力端子、入力端子及び筐体等の外装並びに出力端子及び外装の絶縁性が担保された装置である。
【００３０】
図１に示したように、ＤＣ切替器４６の負荷側端子４６Ｃと非常時端子４６Ｂとを導通させると、直流電源２８の電力の一部を昇圧ＤＣ／ＡＣインバータ４０及び絶縁型ＡＣ／ＤＣコンバータ４４等の変換器を経由せずに、直流負荷の各々に供給できる。これにより、電力の交流・直流の変換に伴う損失を抑制しながら、直流電源の電力を直流負荷に供給できる。
【００３１】
直流電源２８は、ＥＶ、ＨＶ（Hybrid Vehicle）、ＰＨＶ（Plug-in Hybrid Vehicle）若しくはＦＣＶ（Fuel Cell Vehicle）等の電力供給が可能な車両３６Ａ、燃料電池又は蓄電池等の電池３６Ｂ又は太陽光発電装置３６Ｃである。車両３６Ａ、電池３６Ｂ及び太陽光発電装置３６Ｃは、各々インバータ等の変換手段を備え、直流電流をＡＣ１００Ｖに変換して出力する。車両３６Ａ、電池３６Ｂ及び太陽光発電装置３６Ｃが出力したＡＣ１００Ｖは、絶縁型ＡＣ／ＤＣコンバータ３８Ａ，３８Ｂ，３８Ｃによって同一の直流電圧（例えばＤＣ１２Ｖ）に変換される。図１において、直流電源２８を構成する各電源は交流電源と、当該交流電源が出力した交流を各々同一の電圧の直流に変換する絶縁型ＡＣ／ＤＣコンバータとで構成されている。しかしながら、直流電源２８を構成する電源のいくつかは、他の電源が備える絶縁型ＡＣ／ＤＣコンバータと同一の電圧の直流を出力することを条件に、絶縁型ＡＣ／ＤＣコンバータを介せずに直流電圧を出力してもよい。
【００３２】
図２は、本実施の形態に係る給電システム１０における制御部３０の概略構成を示すブロック図である。制御部３０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、制御部３０は表示部２２と、操作入力部２４と、バス２６とを含んでおり、情報を入力する端末と情報を表示する端末との機能を有している。
【００３３】
ＣＰＵ１２は、ＨＥＭＳの全体の動作を司るものである。ＨＤＤ１４はＡＣ切替器３４及びＤＣ切替器４６を制御するためのプログラム、ＯＳ（Operating System）並びにＡＣ切替器３４及びＤＣ切替器４６の制御に供するデータ等が記録される不揮発性の記憶装置である。ＲＡＭ１６は、ＯＳ、プログラム又はデータが展開される揮発性の記憶装置である。ネットワークＩ／Ｆ部１８は、ネットワークに接続するためのものであり、ＮＩＣ（Network Interface Card）やそのドライバで構成される。ＲＯＭ２０は、ＨＥＭＳの起動時に動作するブートプログラムなどが記憶されている不揮発性の記憶装置である。表示部２２は、給電システム１０に関する情報をユーザに表示するものである。操作入力部２４は、ユーザが給電システム１０の操作や情報を入力する際に用いられるものであり、一例としてタッチパネル、キーボード等の入力装置及びトラックボール、ペンタブレット若しくはマウス等のポインティングデバイスが含まれる。バス２６は、情報のやりとりが行われる際に使用される。
【００３４】
図３は、本実施の形態に係る給電システム１０の処理の一例を示したフローチャートである。ステップ３００では、ＡＣ切替器３４の通常時端子３４Ａの電圧等が所定の値を下回ったか否かによって停電等の非常時か否かを判定する。ステップ３００で肯定判定の場合には、ステップ３０２で、ＡＣ切替器３４の負荷側端子３４Ｃと非常時端子３４Ｂとを導通させると共に、ＤＣ切替器４６の負荷側端子４６Ｃと非常時端子４６Ｂとを導通させて、ＡＣ切替器３４及びＤＣ切替器４６を非常時対応に切り替える。
【００３５】
ステップ３０４では、ＡＣ切替器３４の通常時端子３４Ａの電圧等が所定の値以上になったか否かによって商用電力が復旧したか否かを判定する。ステップ３０４で肯定判定の場合には、ステップ３０６で、ＡＣ切替器３４の負荷側端子３４Ｃと通常時端子３４Ａとを導通させると共に、ＤＣ切替器４６の負荷側端子４６Ｃと通常時端子４６Ａとを導通させて、ＡＣ切替器３４及びＤＣ切替器４６を通常時対応に切り替え、処理をリターンする。
【００３６】
以上説明したように、本実施の形態によれば、非常時には、直流電源２８の電力を、ＤＣ切替器４６を介して直流負荷に、昇圧ＤＣ／ＡＣインバータ４０及びＡＣ切替器３４を介して交流負荷に、各々供給している。その結果、非常時において、直流負荷及び交流負荷のいずれにも電力供給が可能となる。
【００３７】
［第２の実施の形態］
続いて、図面を参照して本発明の第２の実施の形態の一例を詳細に説明する。図４は、本実施の形態に係る給電システム１００の一例を示す概略図である。図４に示した本実施の形態に係る給電システム１００は、分電盤１３２がＡＣ１００Ｖに加えてＡＣ２００Ｖを出力可能である点で相違する。また、図４に示した給電システム１００は、ＡＣ２００Ｖに対応したＡＣ２００Ｖ切替器１３４と、２００Ｖ対応の昇圧ＤＣ／ＡＣインバータ１４０と、ＡＣ２００Ｖ負荷１４２とを備えている。さらに給電システム１００の直流電源１２８は、第１の実施の形態の直流電源２８に比して大規模になっており、電力供給が可能なＥＶ等の車両３６Ｄ，３６Ｅ，３６Ｆをさらに含む。また、これら車両３６Ｄ，３６Ｅ，３６Ｆが出力したＡＣ１００Ｖを同一の直流電圧（例えばＤＣ１２Ｖ）に変換するための絶縁型ＡＣ／ＤＣコンバータ３８Ｄ，３８Ｅ，３８Ｆを有している。
【００３８】
その他の構成は、第１の実施の形態と同じなので、第１の実施の形態と共通する構成については同一の符号を付して、詳細な説明は省略する。
【００３９】
本実施の形態では、通常時又は非常時は、制御部１３０がＡＣ２００Ｖ切替器１３４の通常時端子１３４Ａ又はＡＣ切替器３４の通常時端子３４Ａの電圧等をモニターすることによって判定される。通常時端子１３４Ａ又は通常時端子３４Ａの電圧等が所定の値、例えば、１８０Ｖ又は９０Ｖを各々下回った場合には、停電等の非常時と判定して、直流電源１２８の電力をコンセント４２及びＡＣ２００Ｖ負荷１４２等に供給する。
【００４０】
ＡＣ２００Ｖ切替器１３４、ＡＣ切替器３４及びＤＣ切替器４６は、制御部１３０によって制御される。制御部１３０は、商用電力が使用可能な通常時には、ＡＣ２００Ｖ切替器１３４の負荷側端子１３４Ｃと通常時端子１３４Ａとを導通させると共に、ＡＣ切替器３４の負荷側端子３４Ｃと通常時端子３４Ａとを導通させて商用電力をＡＣ２００Ｖ負荷１４２及びコンセント４２等に供給する。また、制御部１３０は、停電等により商用電力が使用できない非常時には、ＡＣ２００Ｖ切替器１３４の負荷側端子１３４Ｃと非常時端子１３４Ｂとを導通させると共に、ＡＣ切替器３４の負荷側端子３４Ｃと非常時端子３４Ｂとを導通させて直流電源２８の電力を交流に変換した電力をＡＣ２００Ｖ負荷１４２及びコンセント４２等に供給する。
【００４１】
制御部１３０は、通常時にはＤＣ切替器４６の負荷側端子４６Ｃと通常時端子４６Ａとを導通させ、絶縁型ＡＣ／ＤＣコンバータ４４でＤＣ１２Ｖに変換した商用電力を直流負荷の各々に供給する。また、制御部１３０は、非常時にはＤＣ切替器４６の負荷側端子４６Ｃと非常時端子４６Ｂとを導通させて直流電源２８の電力を直流負荷の各々に供給する。
【００４２】
図４に示したように、本実施の形態でも、ＤＣ切替器４６の負荷側端子４６Ｃと非常時端子４６Ｂとを導通させると、直流電源２８の電力の一部を昇圧ＤＣ／ＡＣインバータ４０及び絶縁型ＡＣ／ＤＣコンバータ４４等の変換器を経由せずに、直流負荷の各々に供給できる。これにより、電力の交流・直流の変換に伴う損失を抑制しながら、直流電源の電力を直流負荷に供給できる。
【００４３】
以上説明したように、本実施の形態によれば、非常時には、直流電源１２８の電力を、ＤＣ切替器４６を介して直流負荷に、ＡＣ２００Ｖ昇圧ＤＣ／ＡＣインバータ１４０及びＡＣ２００Ｖ切替器１３４並びに昇圧ＤＣ／ＡＣインバータ４０及びＡＣ切替器３４を介して交流負荷に、各々供給している。その結果、非常時において、ＡＣ１００Ｖの交流負荷及び直流負荷に加えてＡＣ２００Ｖの交流負荷にも電力供給が可能となる。
【符号の説明】
【００４４】
１０   給電システム
１２   ＣＰＵ
１４   ＨＤＤ
１６   ＲＡＭ
２０   ＲＯＭ
２６   バス
２８   直流電源
３０   制御部
３２   分電盤
３４   ＡＣ切替器
３４Ａ 通常時端子
３４Ｂ 非常時端子
３４Ｃ 負荷側端子
３６Ａ 車両
３６Ｂ 電池
３６Ｃ 太陽光発電装置
３６Ｄ，３６Ｅ，３６Ｆ      車両
３８Ａ，３８Ｂ，３８Ｃ，３８Ｄ，３８Ｅ，３８Ｆ   絶縁型ＡＣ／ＤＣコンバータ
４０   昇圧ＤＣ／ＡＣインバータ
４２   コンセント
４４   絶縁型ＡＣ／ＤＣコンバータ
４６   ＤＣ切替器
４６Ａ 通常時端子
４６Ｂ 非常時端子
４６Ｃ 負荷側端子
５０Ａ ＬＥＤ照明
５０Ｂ ２４時間換気設備
１００ 給電システム
１２８ 直流電源
１３０ 制御部
１３２ 分電盤
１３４ ＡＣ２００Ｖ切替器
１３４Ａ      通常時端子
１３４Ｂ      非常時端子
１３４Ｃ      負荷側端子
１４０ 昇圧ＤＣ／ＡＣインバータ
１４２ ＡＣ２００Ｖ負荷
【図１】
2016086559.tif 000003
【図２】
2016086559.tif 000004
【図３】
2016086559.tif 000005
【図４】
2016086559.tif 000006